(57)【要約】【課題】第１筐体と第２筐体とが２軸ヒンジ機構によって互いに連結されている折り畳み式電子機器において、筐体の表面に意匠的効果を与える場合にも部品点数が増加することのない折り畳み式電子機器を提供する。【解決手段】本発明に係る折り畳み式電子機器において、第１筐体１の側部には、第２筐体２の閉じ状態で該第２筐体２の外周部に沿って延びる枠体状の化粧パネル４が設置され、該化粧パネル４は、合成樹脂の一体成型によって形成されている。【選択図】図３
2011120159.tif 000002
【特許請求の範囲】
【請求項１】
撮影レンズが配備された第１筐体と、ディスプレイが配備された第２筐体と、第１筐体の側部に第２筐体を開閉可能に連結する２軸ヒンジ機構とを具え、第１筐体に対して第２筐体を２軸ヒンジ機構の第１軸回りに回動させて開くと共に、第２筐体を開き状態で２軸ヒンジ機構の第２軸回りに回動させてディスプレイの向きを反転させることが可能な折り畳み式電子機器において、第１筐体の側部には、第２筐体の閉じ状態で該第２筐体の外周部に沿って延びる枠体状の化粧パネルが設置され、該化粧パネルは、合成樹脂の一体成型によって形成されていることを特徴とする折り畳み式電子機器。
【請求項２】
前記化粧パネルは、２軸ヒンジ機構を収容すべき凹部が形成されて閉じ状態の第２筐体の１辺に沿って延びる第１カバー部と、閉じ状態の第２筐体によって覆われるべき第１筐体の側面領域の外周部に重なって該第２筐体の他の３辺に沿って延びる第２カバー部とから構成される請求項１に記載の折り畳み式電子機器。
【請求項３】
化粧パネルの表面には、第１筐体の表面とは異なる表面処理が施されている請求項１又は請求項２に記載の折り畳み式電子機器。
【発明の詳細な説明】
【技術分野】
【０００１】
本発明は、カメラや携帯電話機等の電子機器に関し、特に、２軸ヒンジ機構を具えて２つの筐体を折り畳むことが可能な折り畳み式電子機器に関するものである。
【背景技術】
【０００２】
従来、２軸ヒンジ機構を具えて２つの筐体を折り畳むことが可能な電子機器が提案されている(特許文献１)。
例えば、静止画や動画を撮影することが可能なビデオカメラにおいては、図６及び図７に示す如く、撮影レンズ(95)及び操作部(90)が配備された第１筐体(９)と、内面に液晶ディスプレイ(図示省略)が配備された第２筐体(91)とが、２軸ヒンジ機構(92)によって互いに開閉可能に連結されている。
【０００３】
第１筐体(９)には、２軸ヒンジ機構(92)が収容されるべき凹部(90)が形成されて閉じ状態の第２筐体(91)の１辺に沿って延びる第１カバー部(93)と、閉じ状態の第２筐体(91)によって覆われるべき第１筐体(９)の側面領域の外周部に重なって該第２筐体(91)の他の３辺に沿って延びる第２カバー部(94)とが別体に形成されている。
ここで、第１カバー部(93)は、第１筐体(９)とは別体に形成されて、ビス等の締結手段によって第１筐体(９)に固定されている。又、第２カバー部(94)は、樹脂成型によって第１筐体(９)と一体に形成され、若しくは、第１筐体(９)とは別体に形成されて、ビス等の締結手段によって第１筐体(９)に固定されている。
【０００４】
上記ビデオカメラにおいては、第１筐体(９)に対して第２筐体(91)を２軸ヒンジ機構(92)の第１軸回りに回動させて開くと共に、第２筐体(91)を開き状態で２軸ヒンジ機構(92)の第２軸回りに回動させて前記液晶ディスプレイの向きを反転させることが可能となっている。
【０００５】
この様に第１筐体(９)に第１カバー部(93)と第２カバー部(94)が形成されているため、第２筐体(91)の開閉に拘わらず、第１筐体(９)の内部構成が外部に露出することがない。
【先行技術文献】
【特許文献】
【０００６】
【特許文献１】特開２００９−１１１７３７号公報
【発明の概要】
【発明が解決しようとする課題】
【０００７】
しかしながら、従来のビデオカメラにおいては、第１カバー部(93)と第２カバー部(94)に対して、第１筐体(９)の他の領域とは異なる表面処理(着色やメッキ処理)を施して、両カバー部(93)(94)に意匠的効果を与える場合、第１カバー部(93)のみならず、第２カバー部(94)についても第１筐体(９)とは別体に形成する必要があり、これによって部品点数が増える問題があった。
【０００８】
そこで本発明の目的は、筐体の表面に意匠的効果を与える場合にも部品点数が増加することのない折り畳み式電子機器を提供することである。
【課題を解決するための手段】
【０００９】
本発明に係る折り畳み式電子機器は、撮影レンズが配備された第１筐体と、ディスプレイが配備された第２筐体と、第１筐体の側部に第２筐体を開閉可能に連結する２軸ヒンジ機構とを具え、第１筐体に対して第２筐体を２軸ヒンジ機構の第１軸回りに回動させて開くと共に、第２筐体を開き状態で２軸ヒンジ機構の第２軸回りに回動させてディスプレイの向きを反転させることが可能となっている。
【００１０】
ここで、第１筐体の側部には、第２筐体の閉じ状態で該第２筐体の外周部に沿って延びる枠体状の化粧パネルが設置され、該化粧パネルは、合成樹脂の一体成型によって形成されている。
【００１１】
具体的態様において、前記化粧パネルは、２軸ヒンジ機構を収容すべき凹部が形成されて閉じ状態の第２筐体の１辺に沿って延びる第１カバー部と、閉じ状態の第２筐体によって覆われるべき第１筐体の側面領域の外周部に重なって該第２筐体の他の３辺に沿って延びる第２カバー部とから構成される。
【００１２】
又、化粧パネルの表面には、第１筐体の表面とは異なる表面処理(着色、メッキ等)が施されている。
【００１３】
本発明に係る折り畳み式電子機器の組立工程においては、２軸ヒンジ機構によって第１筐体と第２筐体を連結した後、第１筐体に対して第２筐体を第１軸回りに回動させると共に第２軸回りに回動させた姿勢をとった状態で、化粧パネルの中央開口に第２筐体を挿通させることによって、化粧パネルを第１筐体の側部に装着することが出来る。
【発明の効果】
【００１４】
本発明に係る折り畳み式電子機器によれば、化粧パネルが合成樹脂の一体成型によって形成されているため、第１カバー部と第２カバー部とが別体に形成されていた従来の折り畳み式電子機器よりも部品点数を増加させることなく、化粧パネルによって筐体に意匠的効果を与えることが出来る。
【図面の簡単な説明】
【００１５】
【図１】図１は、本発明の一実施態様であるビデオカメラの斜視図である。
【図２】図２は、第１筐体に対して第２筐体を開いた状態のビデオカメラの斜視図である。
【図３】図３は、第１筐体から第２筐体及び化粧カバーを分解した状態のビデオカメラの斜視図である。
【図４】図４は、図３とは異なる方向から見た同上状態のビデオカメラの斜視図である。
【図５】図５は、化粧カバーを組み立てる方法を説明する斜視図である。
【図６】図６は、従来のビデオカメラの斜視図である。
【図７】図７は、図６とは異なる方向から見た従来のビデオカメラの斜視図である。
【発明を実施するための形態】
【００１６】
以下、本発明を静止画及び動画の撮影が可能なビデオカメラに実施した形態につき、図面に沿って具体的に説明する。
本発明の一実施態様であるビデオカメラは、図１及び図２に示す如く、第１筐体(１)と第２筐体(２)を具え、両筐体(１)(２)は２軸ヒンジ機構(３)によって互いに開閉可能に連結されおり、図１に示す閉じ状態と図２に示す開き状態を設定することが可能である。
【００１７】
第１筐体(１)には、その前部に撮影レンズ(11)が配備され、第２筐体(２)には、その内面に液晶ディスプレイ(21)が配備されている。
又、第１筐体(１)の後部には、動画撮影釦(14)と静止画撮影釦(15)が配備されると共に、第１筐体(１)の前部にも、動画撮影釦(12)と静止画撮影釦(13)が配備されている。これによって、ユーザは、ハイアングルでの撮影時には後方の動画撮影釦(14)及び静止画撮影釦(15)を操作し、ローアングルでの撮影時には前方の動画撮影釦(12)及び静止画撮影釦(13)を操作することが出来る。
更に、第１筐体(１)の側面には、閉じ状態の第２筐体(２)によって覆われることとなる領域に、電源釦(16)と再生釦(17)が配備されている。
【００１８】
第１筐体(１)の内部には、図５に示す本体機構部(５)が収容されており、該本体機構部(５)の側面は金属板(51)によって覆われている。該金属板(51)は、本体機構部(５)の熱を放散させるヒートシンクの機能を発揮する。
尚、金属板(51)の表面には必要に応じて樹脂シートが設置される。
【００１９】
図１及び図２に示す様に、第１筐体(１)の側部には、第２筐体(２)の閉じ状態で該第２筐体(２)の外周部の全周に沿って延びる枠体状の化粧カバー(４)が設置されている。
化粧カバー(４)は、ＡＢＳ樹脂の一体成型によって形成されており、その表面には、三価クロムメッキが施されている。これによって、化粧カバー(４)には、ポリカーボネート製の第１筐体(１)とは異なる質感が与えられている。
【００２０】
化粧カバー(４)は、図１に示すように、２軸ヒンジ機構(３)を収容すべき凹部(40)が形成されて閉じ状態の第２筐体(２)の１辺に沿って延びる第１カバー部(４ａ)と、閉じ状態の第２筐体(２)によって覆われるべき第１筐体(１)の側面領域の外周部に重なって該第２筐体(２)の他の３辺に沿って延びる第２カバー部(４ｂ)とから構成されており、第２筐体(２)よりも稍小さな中央開口(41)を有している。
【００２１】
化粧カバー(４)には、図３及び図４に示す如く、第１カバー部(４ａ)及び第２カバー部(４ｂ)に沿って、複数の舌片(42)が配設されており、これらの舌片(42)がビスを用いて第１筐体(１)に締結される。
【００２２】
上記ビデオカメラの組立工程においては、第１筐体(１)と第２筐体(２)を２軸ヒンジ機構(３)によって互いに連結した後、図５の如く第２筐体(２)を第１軸回りに回動させると共に第２軸回りに回動させた姿勢をとった状態で、化粧カバー(４)の中央開口(41)に第２筐体(２)を挿通させることによって、化粧カバー(４)を第１筐体(１)の側部に装着する。そして、最後に、複数本のビスを用いて化粧カバー(４)を第１筐体(１)に締結する。
この様な組立方法によれば、化粧カバー(４)が枠体状態の一体成型品であっても化粧カバー(４)の第１筐体(１)への組付けが可能となる。
【００２３】
上記ビデオカメラにおいては、化粧カバー(４)が合成樹脂の一体成型により形成されているので、部品点数を従来よりも増加させることなく、その表面に三価クロムメッキを施すことが可能となる。これによって化粧カバー(４)が第１筐体(１)の外観に関して意匠的効果を発揮することになる。
又、図２に示す第１筐体(１)の金属板(51)の周囲に配備されている内部構成部品が化粧カバー(４)によって覆い隠されることになる。
【００２４】
本発明の各部構成は上記実施の形態に限らず、特許請求の範囲に記載の技術的範囲内で種々の変形が可能である。例えば化粧カバー(４)の表面に施すべき表面処理は、メッキに限らず、塗装による着色であってもよい。
【符号の説明】
【００２５】
(１)  第１筐体
(12)  動画撮影釦
(13)  静止画撮影釦
(14)  動画撮影釦
(15)  静止画撮影釦
(２)  第２筐体
(21)  液晶ディスプレイ
(３)  ２軸ヒンジ機構
(４)  化粧カバー
(41)  中央開口
(４ａ)  第１カバー部
(４ｂ)  第２カバー部
(40)  凹部
【図１】
2011120159.tif 000003
【図２】
2011120159.tif 000004
【図３】
2011120159.tif 000005
【図４】
2011120159.tif 000006
【図５】
2011120159.tif 000007
【図６】
2011120159.tif 000008
【図７】
2011120159.tif 000009